(57)【要約】【課題】飾り台を分解することなく球体の展示位置を修正できる飾り台を提供する。【解決手段】飾り台１０は、球体２０を支持可能とする第２ケース板１３と、球体が通過不可能な寸法の貫通孔２２を有する第１ケース板１２と、を備え、内部に球体を収納する。第２ケース板１３にて支持されている球体２０は、貫通孔２２に圧入されることにより第１ケース板１２にて保持状態とされるとともに第２ケース板１３にて非支持状態とされる。【選択図】図３
2019084061.tif 000002
【特許請求の範囲】
【請求項１】
球体が通過不可能な寸法の貫通孔を有するケース板を備え、
前記貫通孔に前記球体が圧入されることにより、前記球体が前記ケース板にて保持される飾り台であって、
前記球体を支持可能とする支持部を有する支持部材を備え、
前記支持部材の前記ケース板に対する組立位置は、前記貫通孔に圧入されている前記球体と当接しない位置とされ、
前記組立位置にある前記支持部は、前記支持部材に対して、前記貫通孔から押し出された前記球体と当接する位置に形成され、
前記貫通孔から押し出された前記球体は、前記組立位置に配置された前記ケース板と前記支持部とで挟持されること特徴とする飾り台。
【請求項２】
前記貫通孔は、
開口される第１開口部と、
前記第１開口部より前記球体の中心側に配置され、前記球体の直径寸法より小さい円柱形状の第２開口径寸法で開口される第２開口部と、
を有し、
前記球体は、前記第２開口部に圧入されることにより前記ケース板にて保持されることを特徴とする請求項１に記載の飾り台。
【請求項３】
前記貫通孔は、
前記球体の直径寸法より小さい円柱形状の第３開口径寸法で開口される第３開口部と、
前記第３開口部より前記球体の中心側に配置され、前記球体が通過可能な寸法で開口される第４開口部と、
を有し、
前記球体は、前記第３開口部に圧入されることにより前記ケース板にて保持されることを特徴とする請求項１に記載の飾り台。
【請求項４】
前記ケース板は、光透過性を有し、
前記ケース板の前記支持部材側には、前記ケース板と分離可能とされている図案が施されたシートが配置されることを特徴とする請求項１〜３のいずれか１項に記載の飾り台。
【請求項５】
前記貫通孔は、前記ケース板の中心に対して偏心した部位に開口されていることを特徴とする請求項１〜４のいずれか１項に記載の飾り台。
【請求項６】
前記ケース板にて保持状態とされる前記球体は、表面に複数の窪み部を有することを特徴とする請求項１〜５のいずれか１項に記載の飾り台。
【請求項７】
前記ケース板にて保持状態とされる前記球体は、ゴルフボールであることを特徴とする請求項１〜６のいずれか１項に記載の飾り台。
【発明の詳細な説明】
【技術分野】
【０００１】
本発明は、飾り台に関するものである。
【背景技術】
【０００２】
例えば、記念ボールなどの球体を展示するための飾り台として、上下２つのケース体が光透過性を有する材料により半球状に形成され、上下２つのケース体の内部にボールを収納するものが開示されている。この飾り台によれば、例えば、球体の表面に、寄せ書きなどのサインや図案などを施した後に、上下２つのケース体に球体を収納する。上下２つのケース体に球体を収納することにより、上下２つのケース体で球体の全体が覆われる。
このため、サインや図案などを施した球体を、上下２つのケース体に収納する場合には、球体のサインや図案などと飾り台の形態や飾り台に施された図案などとから構成される全体の見栄えを考慮し、球体の展示位置を決め、上下２つのケース体に収納する。この状態において、球体を飾り台で展示できる（例えば、特許文献１参照）。
【先行技術文献】
【特許文献】
【０００３】
【特許文献１】実公平７−３０３９９号公報
【発明の概要】
【発明が解決しようとする課題】
【０００４】
このように、特許文献１の飾り台で球体を展示する場合には、球体を上下２つのケース体に収納する必要がある。一方、球体を展示位置に位置合わせをして上下２つのケース体に収納した後、球体の展示位置を修正することが考えられる。
この場合、閉じられている上下２つのケース体を分解して開けて、球体の展示位置を修正する必要がある。このため、球体の展示位置を修正する作業が煩雑になり、この観点から改良の余地が残されている。
【０００５】
そこで、この発明は、上記の事情に鑑みたものであって、飾り台を分解することなく球体の展示位置を修正できる飾り台の提供を課題とする。
【課題を解決するための手段】
【０００６】
上記の課題を解決するために、請求項１に記載の飾り台（例えば、実施形態における飾り台１０，６０）は、球体（例えば、実施形態におけるゴルフボール２０）が通過不可能な寸法の貫通孔（例えば、実施形態における貫通孔２２、第２貫通孔３４）を有するケース板（例えば、実施形態における鑑賞される側に配置される第１ケース板１２、第２ケース板１３）を備え、前記貫通孔に前記球体が圧入されることにより、前記球体が前記ケース板にて保持される飾り台であって、前記球体を支持可能とする支持部（例えば、実施形態における第４開口部３６）を有する支持部材（例えば、実施形態における鑑賞される側とは反対側に配置される第２ケース板１３，６３）を備え、前記支持部材の前記ケース板に対する組立位置は、前記貫通孔に圧入されている前記球体と当接しない位置（例えば、実施形態における図５、図６、図８に示す位置）とされ、前記組立位置にある前記支持部は、前記支持部材に対して、前記貫通孔から押し出された前記球体と当接する位置（例えば、実施形態における図７に示す位置）に形成され、前記貫通孔から押し出された前記球体は、前記組立位置に配置された前記ケース板と前記支持部とで挟持されることを特徴としている。
【０００７】
上記構成によれば、球体が通過不可能な寸法の貫通孔に圧入されることで球体の飾り台に対する展示位置が固定されるようになっている。また、球体を通過不可能な寸法の貫通孔に圧入することで、該圧入する方向とは逆方向の力を貫通孔を介して球体に加え、球体を貫通孔から押し出すことができる。さらに、組立位置に配置された支持部を有する支持部材は、貫通孔に圧入されている球体と当接しないが、貫通孔から押し出された球体と当接し、前記ケース板と協働して貫通孔から押し出された球体を挟持するようになっているため、展示位置の固定が解除されたとしても飾り台にて球体が挟持されるようになっている。つまり、貫通孔から押し出され展示位置の固定が解除された球体は、貫通孔を介した外部から任意の方向の回転操作を加えられ展示位置が修正できるようになっている。さらに、修正された展示位置を固定すべく貫通孔に球体を圧入する操作を貫通孔を介して行うことができるため、例えば、飾り台を分解することなく球体の展示位置を修正して固定することができる。
【０００８】
手段１に記載の飾り台は、請求項１に記載の飾り台であって、前記貫通孔は、開口される第１開口部（例えば、実施形態における第１開口部２３）と、前記第１開口部より前記球体の中心側に配置され、前記球体の直径寸法（例えば、実施形態におけるゴルフボールの直径寸法２×Ｒ１）より小さい円柱形状の第２開口径寸法（例えば、実施形態における第２開口径寸法２×Ｒ３）で開口される第２開口部（例えば、実施形態における第２開口部２４）と、を有し、前記球体は、前記第２開口部に圧入されることにより前記ケース板（例えば、実施形態における観賞側に配置される第１ケース板１２）にて保持されることを特徴としている。
【０００９】
上記構成によれば、球体を第２開口部に押圧することにより、第２開口部に球体を圧入して第２開口部で球体を保持できる。一方、球体を第２開口部から離す方向に移動することにより、第２開口部による球体の圧入を解除できる。これにより、球体を外部から任意の方向に回転させることができる。
【００１０】
手段２に記載の飾り台は、請求項１または手段１に記載の飾り台であって、前記貫通孔は、前記球体の直径寸法（例えば、実施形態におけるゴルフボールの直径寸法２×Ｒ１）より小さい円柱形状の第３開口径寸法（例えば、実施形態における第３開口径寸法２×Ｒ４）で開口される第３開口部（例えば、実施形態における第３開口部３５）と、前記第３開口部より前記球体の中心側に配置され、前記球体が通過可能な寸法（例えば、実施形態における第４開口径寸法２×Ｒ５）で開口される第４開口部（例えば、実施形態における第４開口部３６）と、を有し、前記球体は、前記第３開口部に圧入されることにより前記ケース板（例えば、実施形態における観賞側に配置される第２ケース板１３）にて保持されることを特徴としている。
【００１１】
上記構成によれば、球体を第３開口部に押圧することにより、第３開口部に球体を圧入して第３開口部で球体を保持できる。一方、球体を第３開口部から離す方向に移動することにより、第３開口部による球体の圧入を解除できる。これにより、球体を外部から任意の方向に回転させることができる。
【００１２】
手段３に記載の飾り台は、請求項１、手段１および手段２のいずれか１つに記載の飾り台であって、前記ケース板（例えば、実施形態における観賞側に配置される第１ケース板１２、観賞側に配置される第２ケース板１３）は、光透過性を有し、前記ケース板の前記支持部材側には、前記ケース板と分離可能とされている図案が施されたシート（例えば、実施形態におけるシート１５）が配置されることを特徴としている。
【００１３】
上記構成によれば、光透過性を有する部材でケース板を形成し、ケース板を介してシートに施された模様や文字などを飾り台の外部から目視できる。これにより、飾り台を模様や文字などで装飾することができ、飾り台の意匠性を高めことができる。また、意匠性が高められた飾り台であるため、飾り台を組み立てた者と飾り台を譲り受けた者とが相違した場合、飾り台を譲り受けた者の好み（例えば、飾り台を設置する場所が目線よりも高い場所であるのか、低い場所であるのかなど）に応じて、飾り台を譲り受けた者が球体の圧入を解除し、球体を外部から任意の方向に回転させることができる。
【００１４】
手段４に記載の飾り台は、請求項１、手段１、手段２および手段３のいずれか１つに記載の飾り台であって、前記貫通孔は、前記ケース板の中心に対して偏心した部位（例えば、実施形態における第１ケース板１２の中心に対して偏心した部位１２ｅ、観賞側に配置される第２ケース板１３の中心に対して偏心した部位１３ｅ）に開口されていることを特徴としている。
【００１５】
上記構成によれば、ケース板の中心に対して偏心した部位に貫通孔を開口することにより、ケース板のうち、貫通孔が開口されていない領域を大きく確保できる。よって、確保した領域に、所望の模様や文字などを表示できる。これにより、飾り台の意匠性を高めことができる。また、意匠性が高められた飾り台であるため、飾り台を組み立てた者と飾り台を譲り受けた者とが相違した場合、飾り台を譲り受けた者の好み（例えば、飾り台を設置する場所が目線よりも高い場所であるのか、低い場所であるのかなど）に応じて、飾り台を譲り受けた者が球体の圧入を解除し、球体を外部から任意の方向に回転させることができる。
【００１６】
手段５に記載の飾り台は、請求項１、手段１、手段２、手段３および手段４のいずれか１つに記載の飾り台であって、前記ケース板にて保持状態とされる前記球体は、表面（例えば、実施形態におけるゴルフボールの表面２０ｃ）に複数の窪み部（例えば、実施形態におけるディンプル２１）を有することを特徴としている。
【００１７】
上記構成によれば、球体の表面に複数の窪み部を形成した。よって、球体の圧入が解除された状態において支持部（例えば、実施形態における鑑賞される側とは反対側に配置される第２ケース板１３，６３の第４開口部３６，６６）と球体との接触する面積を小さく抑えることができる。すなわち、球体を任意の方向に回転させる際に、球体に発生する摩擦力を小さく抑えることができる。これにより、球体を任意の方向に円滑に回転させることができる。
【００１８】
手段６に記載の飾り台は、請求項１、手段１、手段２、手段３、手段４および手段５のいずれか１つに記載の飾り台であって、前記ケース板にて保持状態とされる前記球体は、ゴルフボールであることを特徴としている。
【００１９】
上記構成によれば、球体をゴルフボールとすることにより、例えばゴルフの参加者が記念品として組み立てられた飾り台を購入することや、ゴルフの参加者に記念品として組み立てられた飾り台を贈ることができ、用途を拡大できる。
また、飾り台を組み立てた者と飾り台を譲り受けた者とが相違する。このため、飾り台を譲り受けた者の好み（例えば、飾り台を設置する場所が目線よりも高い場所であるのか、低い場所であるのかなど）に応じて、飾り台を譲り受けた者が球体の圧入を解除し、球体を外部から任意の方向に回転させることができる。
【図面の簡単な説明】
【００２０】
【図１】本発明に係る第１実施形態の飾り台を示す斜視図である。
【図２】本発明に係る第１実施形態の飾り台を示す側面図である。
【図３】本発明に係る第１実施形態の飾り台を分解した状態を示す側面図である。
【図４】本発明に係る第１実施形態の第１ケース板を示す斜視図である。
【図５】本発明に係る第１実施形態の第１ケース板でゴルフボールを保持した状態を示す断面図である。
【図６】本発明に係る第１実施形態の第２ケース板でゴルフボールを保持した状態を示す断面図である。
【図７】本発明に係る第１実施形態の第２ケース板でゴルフボールを支持した状態を示す断面図である。
【図８】本発明に係る第２実施形態の飾り台を示す断面図である。
【発明を実施するための形態】
【００２１】
本発明の実施形態に係る飾り台１０について図面を参照して説明する。なお、以下の説明において、飾り台１０のうち鑑賞される側を前方（ＦＲ）で示し、飾り台１０を鑑賞する人から見て右側をＲＨで示し、上方をＵＰで示す。
[第１実施形態]
図１は、第１実施形態に係る飾り台１０を示す斜視図である。図２は、第１実施形態に係る飾り台１０を示す側面図である。図１、図２に示すように、飾り台１０は、第１ケース板１２、第２ケース板（支持部材）１３と、シート１５と、締結部材１７とを備えている。
第１ケース板１２と、第２ケース板１３とは前後方向（所定方向）に並んで対向するように配置されている。
【００２２】
第１ケース板１２の裏面１２ｂおよび第２ケース板１３の裏面１３ｂが重ね合されることにより、第１ケース板１２によって、第１ケース板１２の側にゴルフボールが落下することが阻止されるようになっている。加えて、第２ケース板１３によって第２ケース板１３の側にゴルフボールが落下することが阻止されるようになっている。また、第１ケース板１２と第２ケース板１３との間にシート１５が介在される。この状態において、第１ケース板１２および第２ケース板１３が締結部材１７で締結される。これにより、第１ケース板１２、第２ケース板１３、シート１５、および締結部材１７により飾り台１０が一体に構成される。
【００２３】
以下、第１ケース板１２、第２ケース板１３、シート１５、および締結部材１７の各部材について詳しく説明する。
図３は、第１実施形態に係る飾り台１０を分解した状態を示す側面図である。図４は、第１実施形態に係る第１ケース板１２を示す斜視図である。
【００２４】
図３、図４に示すように、第１ケース板１２は、例えば板厚寸法Ｔ１が１０ｍｍの光透過性を有するアクリル板（平板）で形成されている。なお、アクリル板の板厚寸法Ｔ１は１０ｍｍに限定されない。具体的には、第１ケース板１２は、表面１２ａ、裏面１２ｂが平坦に形成され、外周辺１２ｃが第１長辺、第２長辺、第１短辺および第２短辺により矩形状に形成されている。
外周辺１２ｃは、例えば、第１長辺、第２長辺が１００ｍｍに形成され、第１短辺、第２短辺が８０ｍｍに形成されている。
第１ケース板１２は、第１ケース板１２を貫通する貫通孔２２と、複数の第１取付孔２６とを有する。
複数の第１取付孔２６は、第１ケース板１２の四隅１２ｄにおいて、第１ケース板１２の厚さ方向に貫通された状態で開口されている。
【００２５】
貫通孔２２は、第１ケース板１２の中心に対して下方に偏心した部位１２ｅに開口されている。よって、第１ケース板１２のうち、貫通孔２２が開口されていない上側の領域１２ｆを大きく確保できる。
なお、その他の例として、貫通孔２２を、例えば、第１ケース板１２の中心に対して上方などに偏心させて開口することも可能である。
【００２６】
図５は、第１実施形態に係る第１ケース板１２でゴルフボール２０を保持した状態を示す断面図である。
図３、図５に示すように、貫通孔２２は、第１開口部２３と、第２開口部２４とを有する。第１開口部２３は、第１ケース板１２において、ゴルフボール２０の中心３０から離れる側に配置されている。第２開口部２４は、第１開口部２３よりゴルフボール２０の中心３０側に配置されている。
ゴルフボール２０の直径寸法（２×Ｒ１）、第１開口部２３の第１開口径寸法（２×Ｒ２）、第２開口部２４の第２開口径寸法（２×Ｒ３）、第２開口部２４の深さ寸法Ｄ１の関係を以下の式に示す。
ゴルフボール２０の直径寸法（２×Ｒ１）は、１．６８インチ（４２．６７ｍｍ）以上に規格され、（２×Ｒ１）＝４２．６７ｍｍであることが好ましい。
【００２７】
Ｒ３＜Ｒ１                                  （１）
√（Ｒ１２−Ｄ１２）＜Ｒ２＜√Ｒ３２          （２）
但し、
Ｒ１：ゴルフボール２０の半径寸法
Ｒ２：第１開口部２３の半径寸法
Ｒ３：第２開口部２４の半径寸法
Ｄ１：第２開口部２４の深さ寸法
である。
【００２８】
（１）式のＲ３＜Ｒ１の関係を満たした第２開口部２４は、ゴルフボール２０の直径寸法（２×Ｒ１）より小さな深さ寸法Ｄ１で円柱形状に開口されている。つまり、第２開口部２４はゴルフボールが通過不可能な寸法となっている。また、ゴルフボール２０は弾性変形する性質を有することから、ゴルフボール２０は第２開口部２４に対して圧入可能となっている。具体的には、ゴルフボール２０が第２開口部２４に圧入されることによりゴルフボール２０は弾性変形する。そして弾性変形したゴルフボール２０は、第２開口部２４の内周面２４ａに接触する。なお、第２開口部２４を円柱状の開口としたため、変形したゴルフボール２０が第２開口部２４に接触する接触面積を大きくすることができる。また、変形したゴルフボール２０の復元力は、第２開口部２４にゴルフボール２０を固定するように作用するため、ゴルフボール２０は第２開口部２４に保持された状態となる。つまり、ゴルフボール２０は、第２開口部２４に圧入されることにより、第１ケース板１２にて保持されるようになっている。
【００２９】
なお、第１実施形態では、ゴルフボール２０の中心３０が第２開口部２４の外側に配置された状態から、ゴルフボール２０が第２開口部２４に圧入されることにより、ゴルフボール２０の中心３０が第２開口部２４の内側に移動するようになっている。これにより、ゴルフボール２０は、固定位置Ｐ１に保持される。
【００３０】
また、（２）式の√（Ｒ１２−Ｄ１２）＜Ｒ２の関係を満たした第１開口部２３は、深さ寸法Ｄ２で円柱形状に開口されている。ここで、第１開口部２３は、（２）式の√（Ｒ１２−Ｄ１２）＜Ｒ２の関係を満たしている。よって、ゴルフボール２０の中心３０が第２開口部２４の外側に配置された状態において、ゴルフボール２０が第１開口部２３（特に、周縁２３ａ）に非接触状態に保たれる。
【００３１】
ここで、第１開口部２３は、（２）式のＲ２＜√Ｒ３２（すなわち、Ｒ２＜Ｒ３）の関係を満たしていることから、ゴルフボール２０が第２開口部２４に圧入された状態において、第１開口部２３の周縁２３ａに接触する場合がある。つまり、第２開口部２４へゴルフボール２０を圧入するために、ゴルフボール２０に必要な力を加えることにより、ゴルフボール２０は第１開口部２３の周縁２３ａに接触する。そのため、第２開口部２４へゴルフボール２０を圧入するために必要な力より大きな力をゴルフボール２０へ加えないかぎり、ゴルフボール２０は、貫通孔２２から飾り台１０の外部３２に抜け出せないようになっている。換言すれば、第１開口部２３によって、貫通孔２２から飾り台１０の外部３２にゴルフボール２０が抜け出す（離反する）ことを防止できる。
【００３２】
ここで、第１開口部２３は、第２開口部２４から周方向内側に突出されている。そこで、第１開口部２３の深さ寸法Ｄ２がＤ２≧１．５ｍｍに設定されている。深さ寸法Ｄ２を１．５ｍｍ以上に設定することにより第１開口部２３の強度を確保できる。
【００３３】
なお、本実施形態では、第１開口部２３と第２開口部２４とはともに円柱形状の開口であり、各開口部２３，２４のそれぞれの軸は同一となっている。
【００３４】
第２ケース板１３は、第１ケース板１２と同様に、例えば板厚寸法Ｔ２が１０ｍｍの光透過性を有するアクリル板（平板）で形成される。なお、アクリル板の板厚寸法Ｔ２は１０ｍｍに限定されない。具体的には、第２ケース板１３は、第１ケース板１２と同様に、表面１３ａ、裏面１３ｂが平坦に形成され、外周辺１３ｃが第１長辺、第２長辺、第１短辺および第２短辺により矩形状に形成されている。
外周辺１３ｃは、例えば、第１長辺、第２長辺が１００ｍｍに形成され、第１短辺、第２短辺が８０ｍｍに形成されている。
第２ケース板１３は、第２貫通孔３４と、複数の第２取付孔３８とを有する。
【００３５】
複数の第２取付孔３８は、第２ケース板１３の四隅１３ｄにおいて、第２ケース板１３の厚さ方向に貫通された状態で開口されている。第２ケース板１３を第１ケース板１２に重ね合わせた状態において、第２取付孔３８が第１取付孔２６に対向する位置に配置される。
【００３６】
図６は、第１実施形態に係る第２ケース板１３でゴルフボール２０を保持した状態を示す断面図である。
図３、図６に示すように、第２貫通孔３４は、貫通孔２２と同様に、第２ケース板１３の中心に対して下方に偏心した部位１３ｅに開口されている。よって、第２ケース板１３のうち、第２貫通孔３４が開口されていない上側の領域１３ｆを大きく確保できる。
なお、その他の例として、例えば、第２貫通孔３４を、第２ケース板１３の中心に対して上方に偏心させることも可能である。
第２ケース板１３を第１ケース板１２に重ね合わせた状態において、第２貫通孔３４が貫通孔２２に対向する位置に配置される。
【００３７】
第２貫通孔３４は、第３開口部３５と、第４開口部（支持部）３６とを有する。第３開口部３５は、第２ケース板１３において、ゴルフボール２０の中心３０から離れる側に配置されている。第４開口部３６は、第３開口部３５よりゴルフボール２０の中心３０側に配置されている。
ゴルフボール２０の直径寸法（２×Ｒ１）、第３開口部３５の第３開口径寸法（２×Ｒ４）、第４開口部３６の第４開口径寸法（２×Ｒ５）、第４開口部３６の深さ寸法Ｄ３の関係を以下の式に示す。
【００３８】
Ｒ１＜Ｒ５                                  （３）
Ｒ４＜√Ｒ１２                              （４）
但し、
Ｒ１：ゴルフボール２０の半径寸法
Ｒ４：第３開口部３５の半径寸法
Ｒ５：第４開口部３６の半径寸法
である。
【００３９】
（３）式のＲ１＜Ｒ５の関係を満たした第４開口部３６は、ゴルフボールが通過可能な寸法、つまり、ゴルフボール２０の直径寸法（２×Ｒ１）以上の第４開口径寸法（２×Ｒ５）で、且つ、深さ寸法Ｄ３で円柱形状に開口されている。
【００４０】
また、（４）式Ｒ４＜√Ｒ１２（すなわち、Ｒ４＜Ｒ１）の関係を満たした第３開口部３５は、ゴルフボール２０の直径寸法（２×Ｒ１）より小さく、深さ寸法Ｄ４で円柱形状に開口されている。つまり、第３開口部３５はゴルフボールが通過不可能な寸法となっている。また、ゴルフボール２０は弾性変形する性質を有することから、ゴルフボール２０は第３開口部３５に対して圧入可能となっている。
具体的には、ゴルフボール２０が第３開口部３５に圧入されることによりゴルフボール２０は弾性変形する。そして弾性変形したゴルフボール２０は、第３開口部３５の内周面３５ａに接触する。なお、第３開口部３５を円柱状の開口としたため、変形したゴルフボール２０が第３開口部３５に接触する接触面積を大きくすることができる。また、変形したゴルフボール２０の復元力は、第３開口部３５にゴルフボール２０を固定するように作用するため、ゴルフボール２０は第３開口部３５に保持された状態となる。つまり、ゴルフボール２０は、第３開口部３５に圧入されることにより、第２ケース板１３にて保持されるようになっている。
【００４１】
なお、第１実施形態では、ゴルフボール２０の中心３０が第４開口部３６の外側に配置された状態から、ゴルフボール２０が第３開口部３５に圧入されることにより、ゴルフボール２０の中心３０が第４開口部３６の内側に移動するようになっている。これにより、ゴルフボール２０は、固定位置Ｐ３に保持される。
【００４２】
ここで、第３開口部３５は、第４開口部３６から周方向内側に突出されている。そこで、第３開口部３５の深さ寸法Ｄ４がＤ４≧１．５ｍｍに設定されている。深さ寸法Ｄ４を１．５ｍｍ以上に設定することにより第３開口部３５の強度を確保できる。
【００４３】
なお、本実施形態では、第３開口部３５と第４開口部３６とはともに円柱形状の開口であり、各開口部３５，３６のそれぞれの軸は同一となっている。
【００４４】
図７は、第１実施形態に係る組立位置に配置された第１ケース板１２及び第２ケース板１３でゴルフボール２０が保持されていない状態、つまり、ゴルフボール２０が、第２開口部２４と第３開口部３５とのいずれにも圧入されない状態を示す断面図である。
ゴルフボール２０と第１ケース板１２とシート１５と第２ケース板１３とは、図７のように組み立てられる。この状態において、第１実施形態のゴルフボール２０は、第２開口部２４と第３開口部３５とのいずれにも圧入されない状態が現出できるように、第２開口部２４の深さ寸法Ｄ１、第４開口部３６の深さ寸法Ｄ３そしてシート１５の厚み寸法Ｄ５を決定するようになっている。
また、第１開口部２３と第２開口部２４と第３開口部３５と第４開口部３６とのそれぞれの軸が同一となるように第１ケース板１２とシート１５と第２ケース板１３とが組み立てられるようになっている。なお、第１実施形態のシート１５の厚み寸法Ｄ５は、０．１ｍｍとなっている。
【００４５】
ここで、第２開口部２４と第４開口部３６は、それぞれの軸が同一で、Ｒ３＜Ｒ５（図３参照）となっている。よって、ゴルフボール２０が第２開口部２４と第３開口部３５とのいずれにも圧入されない状態では、図７に示すように、重力によってゴルフボール２０は第４開口部３６に当接するようになっている。このゴルフボール２０が第４開口部３６に当接している状態は、第４開口部３６によってゴルフボール２０が支持されている状態となっている。つまり、第４開口部３６を有する第２ケース板１３は、ゴルフボール２０を支持可能とする支持部材として機能するようになっている。また、第４開口部３６は、ゴルフボール２０を支持可能とする支持部として機能するようになっている。
【００４６】
また、第４開口部３６によってゴルフボール２０が支持されている状態は、ゴルフボール２０が第２開口部２４と第３開口部３５とのいずれにも圧入されない状態である。このため、ゴルフボール２０が第２開口部２４又は第３開口部３５に圧入されている状態よりも容易にゴルフボール２０を任意の方向に回転させることができる。すなわち、ゴルフボール２０の展示位置を容易に修正できる。
さらに、第２開口部２４は第１ケース板１２を貫通しているとともに第３開口部３５は第２ケース板１３を貫通していることから、ゴルフボール２０を飾り台１０の外部３２から手で、ゴルフボール２０を任意の方向に容易に回転させる操作を行うことができる。
【００４７】
また図７に示すように、重力によってゴルフボール２０は第４開口部３６に当接し、第１ケース板１２にも当接するようになっている。つまり、ゴルフボール２０が第２開口部２４と第３開口部３５とのいずれにも圧入されない状態では、ゴルフボール２０は第１ケース板１２と第４開口部３６とによって挟持されるようになっている。このようにゴルフボール２０が挟持されている状態は、ゴルフボール２０が第２開口部２４と第３開口部３５とのいずれかに圧入されている状態よりも、容易にゴルフボール２０を回転させることができる状態となっている。
【００４８】
次に、図５、図６、図７を用いて、ゴルフボール２０が第２開口部２４又は第３開口部３５へ圧入される動作について説明する。
図７に示すように第４開口部３６によってゴルフボール２０が支持されている状態において、ゴルフボール２０の他端部２０ｂを第１ケース板１２側に押付力Ｆ２で押圧する。これにより、ゴルフボール２０は、第２ケース板１３側から第１ケース板１２側へ、第１ケース板１２や第２ケース板１３に直交するように移動するようになっている。さらに、この押付力Ｆ２で、ゴルフボール２０の他端部２０ｂを第１ケース板１２側へ押圧すると、図５に示すようにゴルフボール２０は第２開口部２４に圧入されることになる。このように圧入されたゴルフボール２０は、第１ケース板１２にて保持状態とされるようになっている。
【００４９】
また、各開口部２４，３６の軸が同一となっている第２開口部２４と第４開口部３６とにおいてＲ３＜Ｒ５（図３参照）となっていることから、ゴルフボール２０が第１ケース板１２にて保持されると、ゴルフボール２０は第４開口部３６及び第２ケース板１３に対して非接触となる。この非接触の状態は、第４開口部３６とゴルフボール２０とが当接しない状態であり、第４開口部３６によってゴルフボール２０が支持されていない状態となっている。
ゴルフボール２０が第１ケース板１２にて保持された際に、ゴルフボール２０と第２ケース板１３とが当接しない位置が、鑑賞される側とは反対側に配置される第２ケース板１３の第１ケース板１２に対する組立位置となっている。この組立位置において、第２開口部２４の深さ寸法Ｄ１、第４開口部３６の深さ寸法Ｄ３そしてシート１５の厚み寸法Ｄ５を適宜変更することにより現出することができる組立位置となっている。
【００５０】
次に、図７に示すように第４開口部３６によってゴルフボール２０が支持されている状態において、ゴルフボール２０の一端部２０ａを第２ケース板１３側に押付力Ｆ１で押圧する。これにより、ゴルフボール２０は、第１ケース板１２側から第２ケース板１３側へ、第１ケース板１２や第２ケース板１３に直交するように移動するようになっている。さらに、この押付力Ｆ１で、ゴルフボール２０の一端部２０ａを第２ケース板１３側へ押圧すると、図６に示すようにゴルフボール２０は第３開口部３５に圧入されることになる。このように圧入されたゴルフボール２０は、第２ケース板１３にて保持されるようになっている。また、各開口部３５，３６の軸が同一となっている第３開口部３５と第４開口部３６とにおいてＲ４＜Ｒ５（図３参照）となっていることから、ゴルフボール２０が第２ケース板１３にて保持されると、ゴルフボール２０は第４開口部３６に対して非接触となる。この非接触の状態は、第４開口部３６とゴルフボール２０とが当接しない状態であり、第４開口部３６によってゴルフボール２０が支持されていない状態となっている。
【００５１】
ここで、図７に示すように、ゴルフボール２０は表面２０ｃに複数のディンプル（すなわち、窪み部）２１を有する。よって、図７に示す挟持状態において、ゴルフボール２０の表面２０ｃが第４開口部３６に接触する面積（接触面積）を小さく抑えることができる。すなわち、ゴルフボール２０を任意の方向に回転させる際に、ゴルフボール２０に発生する摩擦力を小さく抑えることができる。これにより、ゴルフボール２０を任意の方向に円滑に回転させることができる。
【００５２】
図３に示すようにシート１５は、例えば、紙や樹脂で平坦に形成されている。具体的には、シート１５は、第１ケース板１２の外周辺１２ｃや第２ケース板１３の外周辺１３ｃと同様に、外周辺１５ｃが矩形状に形成されている。シート１５は、第１ケース板１２や第２ケース板１３と同様に、開口部４５と、複数のボルト貫通孔４６とを有する。
【００５３】
複数のボルト貫通孔４６は、シート１５の四隅１５ｄにおいて、シート１５の厚さ方向に貫通された状態で開口されている。複数のボルト貫通孔４６は、シート１５が第１ケース板１２と第２ケース板１３とで挟持された状態において、第１取付孔２６および第２取付孔３８に対応する位置に配置される。
第１取付孔２６、第２取付孔３８、およびボルト貫通孔４６には、取付用のボルト１７ａが挿通される。ボルト１７ａにナット１７ｂがねじ結合されることにより、第１ケース板１２、第２ケース板１３およびシート１５が一体に組み付けられる。ボルト１７ａ、ナット１７ｂで締結部材１７が構成される（図２も参照）。
【００５４】
また、開口部４５は、シート１５が第１ケース板１２と第２ケース板１３とで分離可能に挟持された状態において、貫通孔２２と第２貫通孔３４とに対応する位置に配置される。開口部４５は、ゴルフボール２０が開口部４５に嵌め込まれた状態において、ゴルフボール２０に非接触に形成されている。シート１５の表面１５ａや裏面１５ｂには、模様５１や文字５１（図１参照）が表示されている。
【００５５】
図１、図２に示すように、第１ケース板１２と第２ケース板１３とを光透過性を有する部材とし、第１ケース板１２と第２ケース板１３との間にシート１５を挟持するようにした。よって、シート１５（具体的には、表面１５ａ、裏面１５ｂ）に模様５１や文字５１などを表示することにより、模様５１や文字５１などを飾り台１０の外部３２から目視できる。これにより、飾り台１０を模様５１や文字５１などで装飾することができ、飾り台１０の意匠性を高めことができる。
【００５６】
ここで、貫通孔２２は、第１ケース板１２の中心に対して下方に偏心した部位１２ｅに開口されている。また、第２貫通孔３４は、第２ケース板１３の中心に対して下方に偏心した部位１３ｅに開口されている。よって、第１ケース板１２のうち、貫通孔２２が開口されていない上側の領域１２ｆを大きく確保できる。また、第２ケース板１３も、第１ケース板１２と同様に、第２貫通孔３４が開口されていない上側の領域１３ｆを大きく確保できる。
これにより、第１ケース板１２に確保した上側の領域１２ｆや、第２ケース板１３に確保した上側の領域１３ｆに、所望の模様５１や文字５１などを表示できる。すなわち、飾り台１０の意匠性を高めことができる。
【００５７】
この飾り台１０は、例えば、ゴルフボール２０の展示に用いられる。ゴルフボール２０は、直径寸法が１．６８インチ（４２．６７ｍｍ）以上、好ましくは、直径寸法が１．６８インチに設定されている。よって、例えば、第１ケース板１２や第２ケース板１３として、板厚寸法１０ｍｍ程度の光透過性を有するアクリル板の使用が可能になる。板厚寸法１０ｍｍ程度の光透過性を有するアクリル板は、パチンコ遊技機に用いる部材として大量に製造されるため、比較的入手しやすく、飾り台１０を低コストで製造することが可能になる。
また、飾り台１０をゴルフボール２０の展示に採用することにより、例えばゴルフの参加者が記念品として購入することや、ゴルフの参加者に記念品として贈ることができ、用途を拡大できる。
【００５８】
さらに、第１ケース板１２や第２ケース板１３に、例えば板厚寸法１０ｍｍの光透過性を有するアクリル板を使用することにより、第１ケース板１２や第２ケース板１３を同じアクリル板から製造できる。さらに、第１ケース板１２と第２ケース板１３とは、第２開口部２４と、第４開口部３６とが異なるだけで、その他の形状は同一である。よって、第１ケース板１２と第２ケース板１３とを共通の素材から製造できるので、素材点数を減らすことができ、製造の容易化が図れる。
【００５９】
つぎに、飾り台１０にゴルフボール２０を取り付ける手順を図３、図５に基づいて説明する。
図３、図５に示すように、第１ケース板１２の貫通孔２２（すなわち、第２開口部２４の内周面２４ａ）にゴルフボール２０を圧入することにより、第１ケース板１２の貫通孔２２にゴルフボール２０が保持される。
ここで、第２開口部２４の内周面２４ａにゴルフボール２０を圧入する際に、ゴルフボール２０に表示されたサイン５３や図案５３（図１参照）などを考慮してゴルフボール２０の展示位置を決める。ゴルフボール２０を第１ケース板１２の貫通孔２２で保持した後、第１ケース板１２にシート１５を重ね合わせて、開口部４５にゴルフボール２０を嵌め込む。さらに、シート１５に第２ケース板１３を重ね合わせ、第２貫通孔３４にゴルフボール２０を嵌め込む。
【００６０】
第１ケース板１２、シート１５および第２ケース板１３が重ね合された状態において、第１取付孔２６、ボルト貫通孔４６、および第２取付孔３８が互いに対応する位置に配置される。第１取付孔２６、ボルト貫通孔４６、および第２取付孔３８に第１ケース板１２側からボルト１７ａが差し込まれる。ボルト１７ａの頭部は第１ケース板１２の表面１２ａに接触した状態に配置される。第１取付孔２６、ボルト貫通孔４６、および第２取付孔３８に差し込まれたボルト１７ａにナット１７ｂがねじ結合される。
【００６１】
ナット１７ｂは、第２ケース板１３の表面１３ａに接触した状態に配置される。ボルト１７ａがナット１７ｂにねじ結合されることにより、第１ケース板１２、シート１５および第２ケース板１３が重ね合された状態において、ボルト１７ａ、ナット１７ｂで一体に締結される（図１参照）。これにより、飾り台１０にゴルフボール２０が取り付けられる。
【００６２】
図１に示すように、飾り台１０にゴルフボール２０が取り付けられた状態において、ゴルフボール２０のうち、サイン５３や図案５３などが表示された一端部２０ａが第１ケース板１２の貫通孔２２から外部３２に露出する。この状態において、ゴルフボール２０を飾り台１０で展示できる。
ここで、例えば、飾り台１０にゴルフボール２０を取り付けた状態において、ゴルフボール２０の表面にサインなどを表示することが考えられる。この場合、サインなどの表示箇所を外部３２に露出させるために、ゴルフボール２０を回転させる必要がある。
また、飾り台１０で展示しているゴルフボール２０の展示状態を、ゴルフボール２０を回転させて修正することも考えらえる。
【００６３】
この場合には、図５に示す状態において、ゴルフボール２０の一端部２０ａを飾り台１０の外部３２から第２ケース板１３側に押付力Ｆ１で修正位置Ｐ２まで押し込むことにより、ゴルフボール２０を貫通孔２２から離す図７の挟持状態に移動させることができる。これにより、ゴルフボール２０の一端部２０ａと他端部２０ｂとを飾り台１０の外部３２から手でつかんでゴルフボール２０を任意の方向に回転させることができる。
【００６４】
一方、図７に示す挟持状態において、ゴルフボール２０の他端部２０ｂを第１ケース板１２から突出する方向に押付力Ｆ２で固定位置Ｐ１まで押し込むことにより、ゴルフボール２０を貫通孔２２（すなわち、第２開口部２４の内周面２４ａ）に図５の保持状態に圧入させることができる。これにより、ゴルフボール２０を貫通孔２２で保持できる。
このように、ゴルフボール２０を外部３２から任意の方向に回転させ、さらに、ゴルフボール２０を第２開口部２４の内周面２４ａで保持させることにより、例えば、飾り台１０を分解することなくゴルフボール２０の展示位置を修正することができる。
また、ゴルフボール２０の展示位置を修正する際に、ゴルフボール２０を外部３２から押圧するだけの簡単な操作で、固定位置Ｐ１と修正位置Ｐ２とに移動させることができる。
【００６５】
また、第１実施形態では、飾り台１０のうち鑑賞される側（ＦＲ）を第１ケース板１２側としたが、第２ケース板１３側を飾り台１０のうち鑑賞される側としてもよい。この場合においては、図６に示す保持状態において、押付力Ｆ２で修正位置Ｐ２までゴルフボール２０を押し込む操作を行い、図７に示す挟持状態とする。その後、図７の挟持状態において、押付力Ｆ１で固定位置Ｐ３までゴルフボール２０を押し込む操作を行えばよい。
【００６６】
さらに、第１実施形態では、貫通孔２２と第２貫通孔３４との寸法が異なる第１ケース板１２と第２ケース板１３とから構成される飾り台１０としたが、第２貫通孔３４を有する第２ケース板１３を２枚重ねることにより飾り台１０を構成してもよい。この場合においては、飾り台１０のうち鑑賞される側に押付力を加え、固定位置へゴルフボール２０を押し込む操作を行えばよい。また、飾り台１０のうち鑑賞される側とは反対の向きに押付力を加え、修正位置へゴルフボール２０を押し込む操作を行えばよい。
【００６７】
また、この場合において、飾り台１０のうち鑑賞される側に配置される第２ケース板１３にてゴルフボール２０が保持されると、ゴルフボール２０は、飾り台１０のうち鑑賞される側と反対側に配置される第２ケース板１３及び第４開口部３６に対して非接触となる。この非接触の状態は、第４開口部３６とゴルフボール２０とが当接しない状態であり、第４開口部３６によってゴルフボール２０が支持されていない状態となっている。
【００６８】
ゴルフボール２０が鑑賞される側の第２ケース板１３にて保持された際に、ゴルフボール２０と鑑賞される側と反対側に配置される第２ケース板１３とが当接しない位置が、鑑賞される側と反対側に配置される第２ケース板１３の組立位置となっている。この組立位置において、第４開口部３６の深さ寸法Ｄ３そしてシート１５の厚み寸法Ｄ５を適宜変更することにより現出することができる組立位置となっている。
このように観賞側に配置されるケース板と非観賞側に配置されるケース板とを共通の部品とすることで部品の種類を減らすことができ、製造の容易化が図れる。
【００６９】
さらに、第１実施形態では、飾り台１０のうち鑑賞される側とは反対側に配置される第２ケース板１３を貫通する第２貫通孔３４を備える構成としたが、これに限定しない。その他の例として、例えば、押付力Ｆ２と同じ向きの力を貫通孔２２からゴルフボール２０に加えることができる装置（例えば、吸引器など）を用いてもよい。この場合には、第２ケース板１３の前述した支持部として機能する第４開口部３６は、第２ケース板１３を貫通させなくてもよい。
【００７０】
つぎに、第２実施形態の飾り台６０を図８に基づいて説明する。なお、第２実施形態において第１実施形態の飾り台１０の構成部材と同一、類似部材については同じ符号を付して詳しい説明を省略する。
【００７１】
[第２実施形態]
図８は、第２実施形態に係る飾り台６０を示す断面図である。
図８に示すように、飾り台６０は、第１ケース板１２と、第２ケース板６３とがスペーサ６２を介して間隔Ｓ１をおいて配置されている。スペーサ６２は、ボルト１７ａに嵌合されている。
第１ケース板１２は、第１実施形態の第１ケース板１２と同じ部材である。
【００７２】
第１ケース板１２と第２ケース板６３とがスペーサ６２を介して配置された状態において、ゴルフボール２０の他端部２０ｂを第１ケース板１２から突出する方向に押付力Ｆ３で固定位置Ｐ１まで押し込む。よって、ゴルフボール２０を貫通孔２２（すなわち、第２開口部２４の内周面２４ａ）に圧入させることができる。これにより、ゴルフボール２０を貫通孔２２で保持できる。
【００７３】
第２ケース板６３は、第１実施形態の第２ケース板１３の第２貫通孔３４を第２貫通孔６４に代えたもので、その他の構成は第２ケース板１３と同様である。
第２貫通孔６４は、第２ケース板６３の中心に対して下方に偏心した部位６３ａに開口されている。よって、第２ケース板６３のうち、第２貫通孔６４が開口されていない上側の領域６３ｂを大きく確保できる。
なお、その他の例として、例えば、第２貫通孔６４を、第２ケース板６３の中心に対して上方に偏心させることも可能である。
第２ケース板６３を第１ケース板１２に間隔Ｓ１をおいて配置した状態において、第２貫通孔６４が貫通孔２２に対向する位置に配置される。
【００７４】
第２貫通孔６４は、第３開口部６５と、第４開口部６６とを有する。第３開口部６５は、第２ケース板６３において、ゴルフボール２０の中心３０から離れる側に配置されている。第４開口部６６は、第３開口部６５よりゴルフボール２０の中心３０側に配置されている。
第３開口部６５の第３開口径寸法（２×Ｒ６）、第４開口部６６の第６開口径寸法（２×Ｒ７）は、ゴルフボール２０の直径寸法（２×Ｒ１）より小さく設定されている。すなわち、第２貫通孔６４は、ゴルフボール２０の直径寸法（２×Ｒ１）より小さく設定されている。
第２貫通孔６４は、ゴルフボール２０が固定位置Ｐ１において、第１ケース板１２の貫通孔２２（すなわち、第２開口部２４の内周面２４ａ）に保持された状態において、ゴルフボール２０の他端部２０ｂを非接触状態で収納可能に形成されている。
この状態において、ゴルフボール２０が飾り台６０に取り付けられた状態に保持される。
【００７５】
一方、ゴルフボール２０が固定位置Ｐ１から修正位置Ｐ４まで押付力Ｆ４で第２ケース板６３側に移動された状態において、ゴルフボール２０の他端部２０ｂが第２貫通孔６４に接触する。よって、ゴルフボール２０が修正位置Ｐ４に回転自在に支持される。この状態において、ゴルフボール２０を飾り台６０の外部３２から手でつかみ、ゴルフボール２０を任意の方向に回転させることができる。
このように、第２実施形態の飾り台６０によれば、第１実施形態の飾り台１０と同様に、飾り台６０を分解することなくゴルフボール２０の展示位置を修正することができる。
また、ゴルフボール２０の展示位置を修正する際に、ゴルフボール２０を外部３２から押圧するだけの簡単な操作で、固定位置Ｐ１と修正位置Ｐ４とに移動させることができる。
【００７６】
なお、本発明の技術範囲は上述した実施形態に限定されるものではなく、本発明の趣旨を逸脱しない範囲において種々の変更を加えることが可能である。
例えば、前記第１実施形態および第２実施形態によれば、飾り台１０，６０を第１ケース板と第２ケース板との２枚のケース板で構成した例について説明したが、これに限らない。他の例として、例えば、３枚、４枚などのケース板を重ねることも可能である。この場合において、ゴルフボール２０が所定のケース板に圧入された状態のときは、他のケース板にゴルフボールが支持されない状態となればよい。一方、ゴルフボール２０が前記所定のケース板に圧入されていない状態のときは、他のケース板にゴルフボールが支持される状態となればよい。
【００７７】
また、前記第１実施形態および第２実施形態によれば、飾り台１０，６０を載置台で支える構成とすることも可能である。これにより、飾り台１０，６０を一層安定させた状態に展示できる。
【００７８】
さらに、前記第１実施形態および第２実施形態によれば、第１ケース板１２、第２ケース板１３，６３を、光透過性を有するアクリル板で形成する例について説明したが、これに限らない。その他の例として、色彩を施した板材や、金属製の板材などで第１ケース板や第２ケース板を形成することも可能である。
【００７９】
また、前記第１実施形態および第２実施形態によれば、飾り台１０，６０に適用する球体として弾性変形するゴルフボール２０を例示したが、これに限らない。その他の例として、例えば、バスケットボール、野球、テニスなどの復元力のあるボールに飾り台１０，６０を適用することも可能である。
【００８０】
また、前記第１実施形態および第２実施形態によれば、シート１５に模様５１や文字５１を表示する例について説明したが、これに限らない。その他の例として、例えば、模様５１や文字５１を第１ケース板１２、第２ケース板１３に直接表示することも可能である。
【符号の説明】
【００８１】
１０，６０…飾り台
１２……第１ケース板（ケース板）
１２ｅ…第１ケース板の中心に対して偏心した部位
１３，６３…第２ケース板（ケース板、支持部材）
１３ｅ…第２ケース板の中心に対して偏心した部位
１５……シート
２０……ゴルフボール（球体）
２０ｃ…ゴルフボールの表面
２１……ディンプル（窪み部）
２２……貫通孔
２３……第１開口部
２４……第２開口部
３０……ゴルフボールの中心（球体の中心）
３４，６４…第２貫通孔（貫通孔）
３５，６５…第３開口部
３６…第４開口部（支持部）
６６…第４開口部
２×Ｒ１…ゴルフボールの直径寸法
２×Ｒ２…第１開口径寸法
２×Ｒ３…第２開口径寸法
２×Ｒ４…第３開口径寸法
２×Ｒ５…第４開口径寸法
【図１】
2019084061.tif 000003
【図２】
2019084061.tif 000004
【図３】
2019084061.tif 000005
【図４】
2019084061.tif 000006
【図５】
2019084061.tif 000007
【図６】
2019084061.tif 000008
【図７】
2019084061.tif 000009
【図８】
2019084061.tif 000010
【手続補正書】
【提出日】平成30年3月12日(2018.3.12)
【手続補正１】
【補正対象書類名】特許請求の範囲
【補正対象項目名】全文
【補正方法】変更
【補正の内容】
【特許請求の範囲】
【請求項１】
球体が通過不可能な寸法の貫通孔を有するケース板を備え、
前記貫通孔に前記球体が圧入された組立位置に前記球体が配置されることにより、前記球体が前記ケース板にて保持される飾り台であって、
前記圧入する方向とは逆方向の力を前記貫通孔を介して前記球体に加え、前記球体が前記貫通孔から押し出される側であって、前記ケース板に対向する前記組立位置に配置され、前記球体を支持可能とする支持部を有する支持部材を備え、
前記支持部材の前記ケース板に対する前記組立位置は、前記貫通孔に圧入されている前記球体と当接しない位置とされ、
前記組立位置にある前記支持部は、前記支持部材に対して、前記貫通孔から押し出された前記球体と当接する位置に形成され、
前記貫通孔から押し出された前記球体は、前記組立位置に配置された前記ケース板と前記支持部とで挟持されることにより落下することが阻止されることを特徴とする飾り台。
【請求項２】
前記貫通孔は、
開口される第１開口部と、
前記第１開口部より前記球体の中心側に配置され、前記球体の直径寸法より小さい円柱形状の第２開口径寸法で開口される第２開口部と、
を有し、
前記球体は、前記第２開口部に圧入されることにより前記ケース板にて保持されることを特徴とする請求項１に記載の飾り台。
【請求項３】
前記貫通孔は、
前記球体の直径寸法より小さい円柱形状の第３開口径寸法で開口される第３開口部と、
前記第３開口部より前記球体の中心側に配置され、前記球体が通過可能な寸法で開口される第４開口部と、
を有し、
前記球体は、前記第３開口部に圧入されることにより前記ケース板にて保持されることを特徴とする請求項１に記載の飾り台。
【請求項４】
前記ケース板は、光透過性を有し、
前記ケース板の前記支持部材側には、前記ケース板と分離可能とされている図案が施されたシートが配置されることを特徴とする請求項１〜３のいずれか１項に記載の飾り台。
【請求項５】
前記貫通孔は、前記ケース板の中心に対して偏心した部位に開口されていることを特徴とする請求項１〜４のいずれか１項に記載の飾り台。
【請求項６】
前記ケース板にて保持状態とされる前記球体は、表面に複数の窪み部を有することを特徴とする請求項１〜５のいずれか１項に記載の飾り台。
【請求項７】
前記ケース板にて保持状態とされる前記球体は、ゴルフボールであることを特徴とする請求項１〜６のいずれか１項に記載の飾り台。
【手続補正２】
【補正対象書類名】明細書
【補正対象項目名】０００６
【補正方法】変更
【補正の内容】
【０００６】
上記の課題を解決するために、請求項１に記載の飾り台（例えば、実施形態における飾り台１０，６０）は、球体（例えば、実施形態におけるゴルフボール２０）が通過不可能な寸法の貫通孔（例えば、実施形態における貫通孔２２、第２貫通孔３４）を有するケース板（例えば、実施形態における鑑賞される側に配置される第１ケース板１２、第２ケース板１３）を備え、前記貫通孔に前記球体が圧入された組立位置に前記球体が配置されることにより、前記球体が前記ケース板にて保持される飾り台であって、前記圧入する方向とは逆方向の力を前記貫通孔を介して前記球体に加え、前記球体が前記貫通孔から押し出される側であって、前記ケース板に対向する前記組立位置に配置され、前記球体を支持可能とする支持部（例えば、実施形態における第４開口部３６）を有する支持部材（例えば、実施形態における鑑賞される側とは反対側に配置される第２ケース板１３，６３）を備え、前記支持部材の前記ケース板に対する前記組立位置は、前記貫通孔に圧入されている前記球体と当接しない位置（例えば、実施形態における図５、図６、図８に示す位置）とされ、前記組立位置にある前記支持部は、前記支持部材に対して、前記貫通孔から押し出された前記球体と当接する位置（例えば、実施形態における図７に示す位置）に形成され、前記貫通孔から押し出された前記球体は、前記組立位置に配置された前記ケース板と前記支持部とで挟持されることにより落下することが阻止されることを特徴としている。
【手続補正３】
【補正対象書類名】明細書
【補正対象項目名】０００７
【補正方法】変更
【補正の内容】
【０００７】
上記構成によれば、球体が通過不可能な寸法の貫通孔に圧入されることで球体の飾り台に対する展示位置が固定されるようになっている。また、球体を通過不可能な寸法の貫通孔に圧入することで、該圧入する方向とは逆方向の力を貫通孔を介して球体に加え、球体を貫通孔から押し出すことができる。さらに、組立位置に配置された支持部を有する支持部材は、貫通孔に圧入されている球体と当接しないが、貫通孔から押し出された球体と当接し、前記ケース板と協働して貫通孔から押し出された球体を挟持するようになっているため、展示位置の固定が解除されたとしても飾り台にて球体が挟持されることにより落下することが阻止されるようになっている。つまり、貫通孔から押し出され展示位置の固定が解除された球体は、貫通孔を介した外部から任意の方向の回転操作を加えられ展示位置が修正できるようになっている。さらに、修正された展示位置を固定すべく貫通孔に球体を圧入する操作を貫通孔を介して行うことができるため、例えば、飾り台を分解することなく球体の展示位置を修正して固定することができる。